(57)【要約】【課題】広告コンテンツの配信によって得られる収益を向上させること。【解決手段】本願に係る生成装置は、取得部と、生成部とを有する。取得部は、第１コンテンツに実績に応じて課金額が決定される第２コンテンツが表示される表示回数の傾向を取得する。生成部は、取得部によって取得された表示回数の傾向に基づいて、表示回数に応じて課金額が決定される第３コンテンツを第１コンテンツに配信する配信計画を生成する。【選択図】図４
2015153095.tif 000002
【特許請求の範囲】
【請求項１】
第１コンテンツに実績に応じて課金額が決定される第２コンテンツが表示される表示回数の傾向を取得する取得手段と、
前記取得手段によって取得された表示回数の傾向に基づいて、表示回数に応じて課金額が決定される第３コンテンツを前記第１コンテンツに配信する配信計画を生成する生成手段と
を備えることを特徴とする生成装置。
【請求項２】
前記生成手段は、
前記取得手段によって取得された表示回数の傾向に基づいて、所定の期間の中で前記第２コンテンツの表示回数が多いと予測される時間帯ほど、前記第３コンテンツを前記第１コンテンツに多く配信する配信計画を生成する
ことを特徴とする請求項１に記載の生成装置。
【請求項３】
前記生成手段は、
前記第２コンテンツの表示回数が所定の配信期間中一定になるように前記第３コンテンツを前記第１コンテンツに配信する配信計画を生成する
ことを特徴とする請求項１または２に記載の生成装置。
【請求項４】
前記生成手段は、
前記取得手段によって取得された表示回数の傾向に基づいて、所定の期間の中で配信可能な前記第２コンテンツの価値を示す指標値が高くなると予測される時間帯ほど、前記第２コンテンツを前記第１コンテンツに多く配信する配信計画を生成する
ことを特徴とする請求項１〜３のいずれか一つに記載の生成装置。
【請求項５】
前記生成手段は、
前記取得手段によって取得された表示回数の傾向に基づいて、所定の期間の中で前記第２コンテンツが選択される割合を示す選択率が高くなると予測される時間帯ほど、前記第２コンテンツを前記第１コンテンツに多く配信する配信計画を生成する
ことを特徴とする請求項１〜４のいずれか一つに記載の生成装置。
【請求項６】
前記取得手段は、
前記第１コンテンツに前記第２コンテンツまたは前記第３コンテンツが表示される広告枠と前記第２コンテンツが表示される専用枠とが含まれる場合に、前記広告枠および前記専用枠に表示される前記第２コンテンツの表示回数の合計値の傾向を取得し、
前記生成手段は、
前記取得手段によって取得された前記広告枠および前記専用枠に表示される前記第２コンテンツの表示回数の合計値の傾向に基づいて、所定の期間の中で前記表示回数の合計値が高くなると予測される時間帯ほど、前記第３コンテンツを前記広告枠に多く配信する配信計画を生成する
ことを特徴とする請求項１〜５のいずれか一つに記載の生成装置。
【請求項７】
前記取得手段は、
前記第１コンテンツの取得要求を送信した端末装置を操作するユーザのユーザ情報、前記第１コンテンツの種類または前記第２コンテンツの配信時期を取得し、
前記生成手段は、
前記取得手段によって取得された前記ユーザ情報、前記第１コンテンツの種類または前記第２コンテンツの配信時期に基づいて、所定の期間の中で前記第２コンテンツの表示回数が多くなると予測される時間帯ほど、前記第３コンテンツを前記第１コンテンツに多く配信する配信計画を生成する
ことを特徴とする請求項１〜６のいずれか一つに記載の生成装置。
【請求項８】
前記取得手段は、
前記第１コンテンツの取得要求を送信した端末装置を操作するユーザのユーザ情報、前記第１コンテンツの種類または前記第２コンテンツの配信時期を取得し、
前記生成手段は、
前記ユーザ情報、前記第１コンテンツの種類または前記第２コンテンツの配信時期に基づいて、所定の期間の中で前記第２コンテンツの価値を示す指標値が低くなると予測される時間帯ほど、前記第３コンテンツを前記第１コンテンツに多く配信する配信計画を生成する
ことを特徴とする請求項１〜７のいずれか一つに記載の生成装置。
【請求項９】
前記取得手段は、
前記第２コンテンツの表示回数または配信可能な前記第２コンテンツの価値を示す指標値の過去の履歴を取得し、
前記生成手段は、
前記取得手段によって取得された前記第２コンテンツの表示回数または配信可能な前記第２コンテンツの指標値の過去の履歴に基づいて、前記第３コンテンツを前記第１コンテンツに配信する配信計画を生成する
ことを特徴とする請求項１〜８のいずれか一つに記載の生成装置。
【請求項１０】
前記取得手段は、
前記第２コンテンツの価値を示す指標値、前記第２コンテンツが選択される割合を示す選択率、前記第２コンテンツによる成果の割合を示すＣＶＲ、前記第３コンテンツの選択率または前記第３コンテンツによる成果の割合を示すＣＶＲの傾向を取得し、
前記生成手段は、
前記取得手段によって取得された前記第２コンテンツの指標値、前記第２コンテンツの選択率、前記第２コンテンツのＣＶＲ、前記第３コンテンツの選択率または前記第３コンテンツのＣＶＲの傾向に基づいて、前記第２コンテンツおよび前記第３コンテンツを配信する配信計画を生成する
ことを特徴とする請求項１〜９のいずれか一つに記載の生成装置。
【請求項１１】
前記取得手段は、
前記第２コンテンツの表示回数、前記第２コンテンツの価値を示す指標値、前記第２コンテンツが選択される割合を示す選択率、前記第３コンテンツの表示回数および前記第３コンテンツの選択率の傾向を取得し、
前記生成手段は、
前記取得手段によって取得された前記第２コンテンツの表示回数、前記第２コンテンツの指標値、前記第２コンテンツの選択率、前記第３コンテンツの表示回数および前記第３コンテンツの選択率の傾向に基づいて、配信される前記第３コンテンツの選択率が所定の閾値以上になるようにしつつ、前記第２コンテンツを配信することによって得られる収益が高くなるように前記第２コンテンツを前記第１コンテンツに配信する配信計画を生成する
ことを特徴とする請求項１〜１０のいずれか一つに記載の生成装置。
【請求項１２】
前記生成手段は、
１日のうちの所定の時間帯に対して前記配信計画を生成する
ことを特徴とする請求項１〜１１のいずれか一つに記載の生成装置。
【請求項１３】
生成装置が実行する生成方法であって、
第１コンテンツに実績に応じて課金額が決定される第２コンテンツが表示される表示回数の傾向を取得する取得工程と、
前記取得工程によって取得された表示回数の傾向に基づいて、表示回数に応じて課金額が決定される第３コンテンツを前記第１コンテンツに多く配信する配信計画を生成する生成工程と
を含んだことを特徴とする生成方法。
【請求項１４】
第１コンテンツに実績に応じて課金額が決定される第２コンテンツが表示される表示回数の傾向を取得する取得手順と、
前記取得手順によって取得された表示回数の傾向に基づいて、表示回数に応じて課金額が決定される第３コンテンツを前記第１コンテンツに多く配信する配信計画を生成する生成手順と
をコンピュータに実行させることを特徴とする生成プログラム。
【発明の詳細な説明】
【技術分野】
【０００１】
本発明は、生成装置、生成方法および生成プログラムに関する。
【背景技術】
【０００２】
近年、インターネットの飛躍的な普及に伴い、インターネットを介した広告配信が盛んに行われている。例えば、ウェブページの所定の位置に企業や商品等の広告コンテンツ（例えば、画像などのアイコン）を表示し、かかる広告コンテンツがクリックされた場合に広告主のウェブページへ遷移するものがある。
【０００３】
このような広告コンテンツは、各広告主から入稿された広告コンテンツを保持する広告配信装置によって配信されることが多い。例えば、広告配信装置による広告配信としては、広告コンテンツの価値を示すｅＣＰＭ（effective  Cost  Per  Mille）に基づいてアドネットワークを選択する技術が知られている。この技術によれば、広告を出力することで得られる収益を向上することができるとも考えられる。
【先行技術文献】
【特許文献】
【０００４】
【特許文献１】特開２０１２−９３７９６号公報
【発明の概要】
【発明が解決しようとする課題】
【０００５】
しかしながら、上記の従来技術では、広告コンテンツの配信によって得られる収益を向上させることができるとは限らない。具体的には、上記の従来技術では、媒体社が広告在庫を提供可能なアドネットワークの予測ｅＣＰＭを算出し、該予測ｅＣＰＭが最も高いアドネットワークを選択し、そのアドタグを出力する。このように、上記の従来技術では、単に予測ｅＣＰＭが高いアドネットワークから優先的に広告を出力するので、各広告の予め決められた配信回数の制約条件を充足することができない場合がある。また、選択回数に応じて課金額が決定される広告システムと表示回数に応じて課金額が決定される広告システムによって広告を配信する場合には、各広告システムにおける配信目的の違いやＣＴＲ（Click  Through  Rate）の時系列的な変化の違い等を考慮して配信することができない場合がある。このため、上記の従来技術では、広告コンテンツの配信によって得られる収益を向上させることができるとは限らない。
【０００６】
本願は、上記に鑑みてなされたものであって、広告コンテンツの配信によって得られる収益を向上させることができる生成装置、生成方法および生成プログラムを提供することを目的とする。
【課題を解決するための手段】
【０００７】
本願に係る配信装置は、第１コンテンツに実績に応じて課金額が決定される第２コンテンツが表示される表示回数の傾向を取得する取得手段と、前記取得手段によって取得された表示回数の傾向に基づいて、表示回数に応じて課金額が決定される第３コンテンツを前記第１コンテンツに配信する配信計画を生成する生成手段とを備えることを特徴とする。
【発明の効果】
【０００８】
実施形態の一態様によれば、広告コンテンツの配信によって得られる収益を向上させることができるという効果を奏する。
【図面の簡単な説明】
【０００９】
【図１】図１は、実施形態に係る生成処理の一例を示す図である。
【図２】図２は、ｅＣＰＭの時間遷移を示す図である。
【図３】図３は、実施形態に係る広告配信システムの構成例を示す図である。
【図４】図４は、実施形態に係る配信装置の構成例を示す図である。
【図５】図５は、実施形態に係る広告コンテンツ記憶部の一例を示す図である。
【図６】図６は、実施形態に係る許容情報記憶部の一例を示す図である。
【図７】図７は、実施形態に係る配信履歴記憶部の一例を示す図である。
【図８】図８は、実施形態に係る計画情報記憶部の一例を示す図である。
【図９】図９は、実施形態に係る配信装置による受付処理手順を示すフローチャートである。
【図１０】図１０は、実施形態に係る配信装置による配信処理手順を示すフローチャートである。
【図１１】図１１は、表示回数の時間遷移を示す図である。
【図１２】図１２は、ウェブページの一例を示す図である。
【図１３】図１３は、変形例に係る生成処理を説明するための説明図である。
【図１４】図１４は、配信装置の機能を実現するコンピュータの一例を示すハードウェア構成図である。
【発明を実施するための形態】
【００１０】
以下に、本願に係る生成装置、生成方法および生成プログラムを実施するための形態（以下、「実施形態」と呼ぶ）について図面を参照しつつ詳細に説明する。なお、この実施形態により本願に係る生成装置、生成方法および生成プログラムが限定されるものではない。また、以下の各実施形態において同一の部位には同一の符号を付し、重複する説明は省略される。
【００１１】
〔１．生成処理〕
まず、図１を用いて、実施形態に係る生成処理の一例について説明する。図１は、実施形態に係る生成処理の一例を示す説明図である。図１の例では、後述の図４に図示する配信装置１００によって生成処理が行われる。配信装置１００は、広告主から、広告コンテンツとして、実績（例えば、選択回数）に応じて課金額が決定される広告コンテンツである選択課金型広告（例えば、クリック課金型広告）や、表示回数に応じて課金額が決定される表示課金型広告（例えば、インプレッション保証型広告）を受け付ける。ここで、配信装置１００は、選択課金型広告や表示課金型広告とともに、広告コンテンツの配信期間（すなわち、広告コンテンツの掲載期間）や、広告コンテンツが１回クリックや表示された際に広告主が広告配信者（例えば、配信装置１００の管理者）に支払う広告料金（例えば、入札価格）や、広告料金の上限値である広告予算などの指定を受け付ける。
【００１２】
ここでは、ユーザが操作する端末装置から広告コンテンツの取得要求が受信された場合に、ウェブページに含まれる広告枠に選択課金型広告または表示課金型広告のいずれかが表示される例について説明する。図１に示したグラフの縦軸は、広告コンテンツが広告枠に表示された表示回数を示す。図１に示したグラフの横軸は、時間変動を示す。また、図１に示す線ＩＭ１は、選択課金型広告および表示課金型広告の表示回数の累計を示す。また、図１に示す線ＣＬ１は、選択課金型広告の表示回数を示す。すなわち、線ＩＭ１の表示回数から線ＣＬ１の表示回数を減算した値は、表示課金型広告の表示回数を示す。
【００１３】
このような前提の下、配信装置１００と比較される比較例の配信装置は、例えば、図１の上側に示すように、選択課金型広告および表示課金型広告の表示回数の累計ＩＭ１に対する選択課金型広告の表示回数ＣＬ１の割合が一定になるように選択課金型広告を配信する配信計画を生成する。例えば、比較例の配信装置は、選択課金型広告および表示課金型広告の表示回数の累計ＩＭ１に対する選択課金型広告の表示回数ＣＬ１の割合が６０％になるように選択課金型広告を配信する配信計画を生成する。言い換えると、比較例の配信装置は、選択課金型広告および表示課金型広告の表示回数の累計ＩＭ１に対する表示課金型広告の表示回数の割合が４０％になるように選択課金型広告を配信する配信計画を生成する。
【００１４】
そして、比較例の配信装置は、生成された配信計画に基づいて選択課金型広告および表示課金型広告を配信する。ここで、比較例の配信装置は、例えば、１日当たりの広告予算が所定の時間（例えば、１秒や１分や１０分）毎に均等に消化されるように、時間変動とともに変動する累積課金額の許容値として、課金許容額を算出する。この課金許容額は、経過時間を「ｘ」とした場合に、「課金許容額ＢＬ  ＝  Ａ・ｘ」の式で表される。この式のうち「Ａ」は、広告予算の消化ペースを示す。例えば、経過時間「ｘ」の単位が分であり、１日当たりの広告予算が「１万円」である場合には、「１万円」を「１４４０分」により除算した「６．９４４円／分」が「Ａ」となる。なお、ここでは、除算結果の少数第４位を四捨五入するものとする。これにより、比較例の配信装置は、現在日時に対応する課金許容額を算出する。
【００１５】
そして、比較例の配信装置は、選択課金型広告を配信し、配信した選択課金型広告がクリックされた場合に、かかる選択課金型広告の累積課金額を計数する。このとき、比較例の配信装置は、累積課金額が現在日時に対応する課金許容額を超える場合には、所定時間が経過するまで選択課金型広告を配信しないように制限する。その後、比較例の配信装置は、時間経過に応じて累積課金額が課金許容額を超えなくなった場合に、選択課金型広告の配信を再開する。このようにして、比較例の配信装置は、広告予算が一定のペースで消化されるように、上述した課金許容額に基づく配信制御を毎日行うことで、選択課金型広告の配信期間の満了日よりも想定以上に早く広告予算が消化されることを防止し、結果として、選択課金型広告が想定以上に早く配信されなくなる事態を防止する。
【００１６】
しかし、選択課金型広告が配信された回数を示す表示回数は、１日の中で時間帯によって変動する。このため、上述した広告配信では、選択課金型広告の表示回数が多い時間帯には、価値の高い選択課金型広告の配信が停止状態となっており、価値の低い選択課金型広告を配信する可能性がある。この点について、図２を用いて説明する。
【００１７】
図２は、配信可能な選択課金型広告のｅＣＰＭの時間遷移を示す図である。ここで、ｅＣＰＭは、広告コンテンツがウェブページに１０００回表示された場合に、かかるウェブページの提供者が得る収益額を示す。例えば、ｅＣＰＭは、広告コンテンツの入札価格にＣＴＲ（Click  Through  Rate）および１０００を乗算することで算出される。なお、ｅＣＰＭが高い広告コンテンツは、質の高い広告コンテンツであることを意味する。
【００１８】
また、図２では、縦軸は、選択課金型広告の表示回数と配信可能な選択課金型広告のｅＣＰＭとを示す。横軸は、１日の時刻を示す。なお、図２では、「表示回数」は、比較例の配信装置によって配信される選択課金型広告の表示回数を示す。「ｅＣＰＭ」は、配信可能な選択課金型広告のｅＣＰＭを示す。
【００１９】
図２に示した例の場合、選択課金型広告の表示回数は、４時前後の時間帯Ｔ１に最も低い値となる。一方、選択課金型広告のｅＣＰＭは、時間帯Ｔ１に最も高い値となる。また、選択課金型広告の表示回数は、１２時前後の時間帯Ｔ２に最も高い値となる。一方、選択課金型広告のｅＣＰＭは、時間帯Ｔ２に最も低い値となる。
【００２０】
ここで、比較例の配信装置は、ｅＣＰＭの高い選択課金型広告を優先して配信する。このため、比較例の配信装置は、図２に示すように、表示回数の少ない時間帯にｅＣＰＭが高い選択課金型広告を配信する。配信可能な選択課金型広告の選択の余地が広く、ｅＣＰＭの高い選択課金型広告が優先して配信されるからである。このため、比較例の配信装置は、表示回数の多い時間帯では、ｅＣＰＭが高い選択課金型広告を既に配信しているので、ｅＣＰＭが高い選択課金型広告の配信を停止する。
【００２１】
また、比較例の配信装置は、選択課金型広告の表示回数の多い時間帯では、ｅＣＰＭの高い選択課金型広告を配信することができないので、ｅＣＰＭの低い広告コンテンツを配信する。配信可能な選択課金型広告の選択の余地が狭く、ｅＣＰＭの高い配信可能な選択課金型広告が少ないからである。
【００２２】
一般的に、選択課金型広告の表示回数の時間遷移は、このような傾向となることが多いので、比較例の配信装置では、ｅＣＰＭの低い選択課金型広告でも配信される可能性がある。このため、広告主は、選択課金型広告を配信するための競争をせずに、低い入札価格を設定する場合がある。これにより、広告配信者は、高い入札価格が設定されることにより得られる収益を逸する可能性がある。
【００２３】
そこで、実施形態に係る配信装置１００は、課金許容額に達しないように選択課金型広告を配信する配信計画を生成する。具体的には、配信装置１００は、選択課金型広告の表示回数に基づいて、表示課金型広告をウェブページに配信する配信計画を生成する。なお、この場合、ウェブページには、課金形態が異なる選択課金型広告および表示課金型広告の２種類の広告コンテンツが配信されることが前提となる。典型的には、配信装置１００は、選択課金型広告および表示課金型広告の２種類の広告コンテンツをウェブページに含まれる同じ広告枠に配信する。例えば、配信装置１００は、選択課金型広告の表示回数に基づいて、所定の期間（例えば、１日）の中で選択課金型広告の表示回数が多いと予測される時間帯ほど、表示課金型広告をウェブページに多く配信する配信計画を生成する。そして、配信装置１００は、生成した配信計画に基づいて選択課金型広告および表示課金型広告を配信する。この点について図１に示す下のグラフを用いて説明する。
【００２４】
まず、配信装置１００は、選択課金型広告が広告枠に表示される回数を示す表示回数の傾向を取得する。続いて、配信装置１００は、取得された選択課金型広告の表示回数の傾向に基づいて、表示回数の時間遷移を予測する。
【００２５】
そして、配信装置１００は、予測された選択課金型広告の表示回数の時間遷移に基づいて、所定の期間の中で選択課金型広告の表示回数が多いと予測される時間帯ほど、表示課金型広告をウェブページに多く配信する配信計画を生成する。具体的には、配信装置１００は、所定の期間の中で選択課金型広告の表示回数が多いと予測される時間帯には、選択課金型広告よりも表示課金型広告を多く配信する配信計画を生成する。すなわち、配信装置１００は、選択課金型広告の表示回数が多いと予測される時間帯には、表示課金型広告をウェブページに多く配信し、選択課金型広告をウェブページに少なく配信する配信計画を生成する。なお、所定の期間は、１日に限らず、１週間や１ヶ月など任意の期間でもよい。
【００２６】
例えば、配信装置１００は、図１の下に示すグラフのように、選択課金型広告の表示回数が多いと予測される１２時前後の時間帯には、図１の下に示すグラフのように、選択課金型広告と比較して、表示課金型広告および選択課金型広告の表示回数の累計ＩＭ１に対する選択課金型広告の表示回数ＣＬ２の割合が小さくなるように表示課金型広告を配信する配信計画を生成する。そして、配信装置１００は、生成した配信計画に基づいて選択課金型広告および表示課金型広告を配信する。これにより、配信装置１００は、配信可能な選択課金型広告のｅＣＰＭが低い時間帯に表示課金型広告を配信するので、ｅＣＰＭの低い選択課金型広告が配信されなくなる。このため、配信装置１００は、配信可能な選択課金型広告の平均ｅＣＰＭを高めることができる。
【００２７】
なお、配信装置１００は、選択課金型広告の表示回数が少ないと予測される４時前後の時間帯には、図１の下に示すグラフのように、表示課金型広告と比較して選択課金型広告を多く配信する。これにより、配信装置１００は、配信可能な選択課金型広告のｅＣＰＭが高い時間帯に選択課金型広告を配信するので、配信可能な選択課金型広告の平均ｅＣＰＭを高めることができる。
【００２８】
このように、実施形態に係る配信装置１００は、ウェブページに、実績に応じて課金額が決定される選択課金型広告が表示される表示回数の傾向を取得する。また、配信装置１００は、取得された表示回数に基づいて、表示回数に応じて課金額が決定される表示課金型広告をウェブページに配信する配信計画を生成する。
【００２９】
これにより、配信装置１００は、配信可能な選択課金型広告のｅＣＰＭが低い時間帯に表示課金型広告を配信することができるので、配信可能な選択課金型広告の平均ｅＣＰＭを高めることができる。このため、配信装置１００は、配信期間中の時間帯によらずに選択課金型広告の選択の幅を広くすることができるので、図２に示すような時間帯によって配信可能な選択課金型広告のｅＣＰＭの差が大きい場合と比較して、配信期間中に配信する選択課金型広告の質を平均化することができる。また、配信装置１００は、高い入札価格の選択課金型広告が配信停止となることを防ぐことができるので、低い入札価格の広告選択課金型広告が配信されてしまうことを防ぐことができる。これにより、配信装置１００は、選択課金型広告を配信させるために広告主に競わせることができるので、広告主に高い入札価格の設定をさせることができる。このため、配信装置１００は、選択課金型広告の配信によって得られる収益を向上させることができる。
【００３０】
〔２．広告配信システムの構成〕
次に、図３を用いて、実施形態に係る広告配信システムの構成について説明する。図３は、実施形態に係る広告配信システム１の構成例を示す図である。図３に示すように、広告配信システム１には、端末装置１０と、広告主装置２０１〜２０ｎと、情報提供装置３０と、配信装置１００とが含まれる。端末装置１０、広告主装置２０１〜２０ｎ、情報提供装置３０および配信装置１００は、ネットワークＮを介して、有線または無線により通信可能に接続される。なお、図３に示した広告配信システム１には、複数台の端末装置１０や、複数台の情報提供装置３０や、複数台の配信装置１００が含まれてもよい。
【００３１】
端末装置１０は、例えば、デスクトップ型ＰＣ（Personal  Computer）や、ノート型ＰＣや、タブレット型端末や、携帯電話機、ＰＤＡ（Personal  Digital  Assistant）等の情報処理装置である。例えば、端末装置１０は、情報提供装置３０にアクセスすることで、情報提供装置３０からウェブページを取得し、取得したウェブページを表示装置（例えば、液晶ディスプレイ）に表示する。また、端末装置１０は、ウェブページに広告枠が含まれる場合には、配信装置１００にアクセスすることで、配信装置１００から広告コンテンツ（例えば、選択課金型広告や表示課金型広告）を取得し、取得した広告コンテンツをウェブページ上に表示する。ただし、この例に限られず、端末装置１０は、広告コンテンツを含むウェブページを情報提供装置３０から取得してもよい。この場合、情報提供装置３０は、配信装置１００によって配信される広告コンテンツを組み込んだウェブページを端末装置１０に配信する。
【００３２】
広告主装置２０１〜２０ｎは、配信装置１００に広告配信を依頼する広告主によって利用される情報処理装置である。かかる広告主装置２０１〜２０ｎは、広告主による操作に従って、広告コンテンツを配信装置１００に入稿する。実施形態に係る広告主装置２０１〜２０ｎは、静止画像や、動画像や、テキストデータや、広告主が管理する広告主サーバによって提供されるウェブページにアクセスするためのＵＲＬ（Uniform  Resource  Locator）などに該当する広告コンテンツを配信装置１００に入稿する。
【００３３】
また、広告主は、広告主装置２０１〜２０ｎを用いて、広告コンテンツを配信装置１００に入稿せずに、広告コンテンツの入稿を代理店に依頼する場合もある。この場合、配信装置１００に広告コンテンツを入稿するのは代理店となる。以下では、「広告主」といった表記は、広告主だけでなく代理店を含む概念であり、「広告主装置」といった表記は、広告主装置だけでなく代理店によって利用される代理店装置を含む概念であるものとする。また、広告主装置２０１〜２０ｎは、それぞれ同様の機能を有するので、以下では、広告主装置２０１〜２０ｎを区別する必要がない場合には、これらを総称して「広告主装置２０」と表記する場合がある。
【００３４】
情報提供装置３０は、端末装置１０にウェブページを提供するＷｅｂサーバ等である。かかる情報提供装置３０は、例えば、ニュースサイト、オークションサイト、天気予報サイト、ショッピングサイト、ファイナンス（株価）サイト、路線検索サイト、地図提供サイト、旅行サイト、飲食店紹介サイト、ウェブブログなどに関する各種ウェブページを提供する。
【００３５】
配信装置１００は、広告主装置２０から入稿された広告コンテンツを配信するサーバ装置である。上記の通り、配信装置１００は、端末装置１０からアクセスされた場合に、広告コンテンツを端末装置１０に配信する。また、配信装置１００は、情報提供装置３０からアクセスされた場合には、広告コンテンツを情報提供装置３０に配信する。
【００３６】
〔３．配信装置の構成〕
次に、図４を用いて、実施形態に係る配信装置１００の構成について説明する。図４は、実施形態に係る配信装置１００の構成例を示す図である。図４に示すように、配信装置１００は、通信部１１０と、記憶部１２０と、制御部１３０とを有する。なお、配信装置１００は、配信装置１００を利用する管理者等から各種操作を受け付ける入力部（例えば、キーボードやマウス等）や、各種情報を表示するための表示部（例えば、液晶ディスプレイ等）を有してもよい。
【００３７】
（通信部１１０について）
通信部１１０は、例えば、ＮＩＣ（Network  Interface  Card）等によって実現される。かかる通信部１１０は、ネットワークＮと有線または無線で接続され、ネットワークＮを介して、端末装置１０や広告主装置２０や情報提供装置３０との間で情報の送受信を行う。
【００３８】
（記憶部１２０について）
記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。記憶部１２０は、広告コンテンツ記憶部１２１と、許容情報記憶部１２２と、配信履歴記憶部１２３と、計画情報記憶部１２４とを有する。
【００３９】
（広告コンテンツ記憶部１２１について）
広告コンテンツ記憶部１２１は、広告主装置２０から入稿された広告コンテンツを記憶する。ここで、図５に、実施形態に係る広告コンテンツ記憶部１２１の一例を示す。図５に示した例では、広告コンテンツ記憶部１２１は、「広告主ＩＤ」、「広告コンテンツ」、「種別」、「入札価格」、「配信期間」、「広告予算」、「保証表示回数」、「累積課金額」といった項目を有する。
【００４０】
「広告主ＩＤ」は、広告主または広告主装置２０を識別するための識別情報を示す。「広告コンテンツ」は、広告主装置２０から入稿された広告コンテンツを示す。図５に示した例では、「広告コンテンツ」に、「ＡＤ１１」や「ＡＤ２１」といった概念的な情報が格納される例を示したが、実際には、静止画像や動画像やテキストデータやＵＲＬ（Uniform  Resource  Locator）、または、これらの格納場所を示すファイルパス名などが記憶される。
【００４１】
「種別」は、広告コンテンツの種類を示す。例えば、「種別」には、図５に示すように、「選択課金型」や「表示課金型」といった広告コンテンツの種類が記憶される。「入札価格」は、広告主が広告コンテンツを入稿する際に指定する広告料金を示す。本実施形態では、「入札価格」は、例えば、広告コンテンツが選択課金型広告の場合には、選択課金型広告がユーザに１回クリックされた際に、広告配信者（例えば、配信装置１００の管理者）が広告主に課金する金額の単価（例えば、単位は「円」）に該当する。また、「入札価格」は、例えば、広告コンテンツが表示課金型広告の場合には、表示課金型広告がウェブページに１回表示された際に、広告配信者が広告主に課金する金額の単価に該当する。
【００４２】
「配信期間」は、広告主が広告コンテンツを入稿する際に指定する情報であって、広告コンテンツをウェブページに掲載する期間を示す。「広告予算」は、広告主が広告コンテンツを入稿する際に指定する情報であって、広告主が広告配信者に支払う広告料金（すなわち、累積課金額）の上限値を示す。
【００４３】
「保証表示回数」は、配信期間内において広告コンテンツの表示を保証する回数を示す。なお、「保証表示回数」には、「種別」がインプレッション保証型の場合に、表示回数が記憶される。「累積課金額」は、現時点において広告主に課金される広告料金を示す。具体的には、「累積課金額」は、広告コンテンツがクリックされた回数やウェブページに表示された回数に入札価格が乗算された値に該当する。なお、「累積課金額」は、後述する配信部１３６によって更新される。
【００４４】
すなわち、図５では、広告主ＩＤ「ＡＰ１０」によって識別される広告主が、入札価格「２０円」、配信期間「２０１３年１月１日〜２０１３年１月３１日」および広告予算「２０００万円」を指定するとともに、種別「クリック課金型」の広告コンテンツ「ＡＤ１１」を入稿した例を示している。なお、図５では、現時点において、広告コンテンツ「ＡＤ１１」を広告配信したことによる累積課金額は、「１０万円」である例を示している。
【００４５】
また、図５では、広告主ＩＤ「ＡＰ２０」によって識別される広告主が、入札価格「１０円」、配信期間「２０１３年３月１日〜２０１３年３月３１日」、広告予算「１５００万円」および保証表示回数「１５０万回」を指定するとともに、種別「インプレッション保証型」の広告コンテンツ「ＡＤ２１」を入稿した例を示している。なお、図５では、現時点において、広告コンテンツ「ＡＤ２１」を広告配信したことによる累積課金額は、「１０万円」である例を示している。
【００４６】
なお、図５では図示することを省略したが、広告コンテンツ記憶部１２１は、「ＣＴＲ（Click  Through  Rate）」などを記憶してもよい。「ＣＴＲ」は、広告コンテンツが端末装置１０に配信された場合における広告効果を示す。例えば、「ＣＴＲ」は、広告コンテンツがユーザによりクリックされた回数を広告コンテンツの表示回数によって除算した値に該当する。
【００４７】
（許容情報記憶部１２２について）
許容情報記憶部１２２は、選択課金型広告の累積課金額の許容値である課金許容額に関する情報を記憶する。なお、実施形態に係る許容情報記憶部１２２は、選択課金型広告の広告コンテンツ毎に、課金許容額を記憶するものとする。ここで、図６に、実施形態に係る許容情報記憶部１２２の一例を示す。図６に示した例では、許容情報記憶部１２２は、「広告コンテンツ」、「対象期間」、「消化基準額」、「制御期間内の累積課金額」といった項目を有する。
【００４８】
「広告コンテンツ」は、図５に示した広告コンテンツに対応し、配信装置１００によって配信され得る広告コンテンツを示す。「対象期間」は、広告コンテンツが配信され得る日時を示す。図６では、「対象期間」に、年月日が特定されない時間帯のみが記憶される例を示している。「消化基準額」は、広告予算の消化ペースを示す。具体的には、「消化基準額」は、「課金許容額Ｂ」を表す式「Ｂ  ＝  Ａ・ｘ」における「Ａ」に該当する。なお、上記の通り、「ｘ」は、広告コンテンツの配信を開始してからの経過時間（ここの例では、単位は「分」）を示す。
【００４９】
「制御期間内の累積課金額」は、配信装置１００によって広告コンテンツの配信制御が所定の期間の単位で行われる場合に、現在日時に対応する制御期間における累積課金額を示す。例えば、配信装置１００は、１日毎に、課金許容額に基づく配信制御を行う。この例の場合、許容情報記憶部１２２の「制御期間内の累積課金額」には、現在日時における現時点までの累積課金額が記憶される。この「制御期間内の累積課金額」は、１日が経過するたびに「０」にクリアされ、１日毎の累積課金額が随時格納されることとなる。
【００５０】
すなわち、図６では、「０時〜２４時」の間に広告コンテンツ「ＡＤ１１」を配信する場合には、１分間当たり「６．９４４円」のペースで課金することを許容する例を示している。また、図６では、広告コンテンツ「ＡＤ１１」の累積課金額のうち、現在日時における累積課金額が「３０００円」である例を示している。
【００５１】
なお、図６の例では、年月日が特定されない時間帯が「対象期間」に記憶される例を示したが、「対象期間」には、年月日や曜日が記憶されてもよい。また、図６の例では、１分間当たりの消化ペースが「消化基準額」に記憶される例を示したが、「消化基準額」には、１秒間当たりの消化ペースや、１０分間当たりの消化ペースや、１時間当たりの消化ペースなどが記憶されてもよい。
【００５２】
（配信履歴記憶部１２３について）
配信履歴記憶部１２３は、端末装置１０への広告配信に関する履歴情報を記憶する。ここで、図７に、実施形態に係る配信履歴記憶部１２３の一例を示す。なお、配信履歴記憶部１２３は、図７に示した例のようにデータベースにおけるテーブルにより構成されてもよいが、実際には、配信履歴（広告配信に関するログ）が書き込まれるテキストファイル等に該当する。図７に示した例では、配信履歴記憶部１２３は、「配信広告コンテンツ」、「配信日」、「クリック有無」といった項目を有する。  
【００５３】
「配信広告コンテンツ」は、図５に示した広告コンテンツに対応し、配信装置１００が実際に配信した広告コンテンツを示す。「配信日」は、広告コンテンツが配信された日時を示す。「クリック有無」は、配信広告コンテンツがユーザによりクリックされたか否かを示す。図７に示す例では、クリックされた場合には「クリック有無」に「１（有り）」が記憶され、クリックされなかった場合には「クリック有無」に「０（無し）」が記憶される。  
【００５４】
すなわち、図７では、「２０１３年１月１日０時０１分」に広告コンテンツ「ＡＤ１１」が配信され、かかる広告コンテンツ「ＡＤ１１」がユーザによりクリックされなかった例を示している。
【００５５】
（計画情報記憶部１２４について）
計画情報記憶部１２４は、広告コンテンツを配信する計画に関する計画情報を記憶する。ここで、図８に、実施形態に係る計画情報記憶部１２４の一例を示す。図８に示した例では、計画情報記憶部１２４は、「広告コンテンツ」、「配信時刻」、「配信回数」といった項目を有する。
【００５６】
「広告コンテンツ」は、図５に示した広告コンテンツに対応し、配信装置１００によって配信され得る広告コンテンツを示す。「配信時刻」は、広告コンテンツが配信される時間帯を示す。「配信回数」は、「配信時刻」に示される時間帯に広告コンテンツを配信する配信回数を示す。
【００５７】
すなわち、図８では、配信装置１００は、配信時刻「０：００〜８：００」の時間帯に広告コンテンツ「ＡＤ１１」を５０００回配信する計画である例を示している。
【００５８】
なお、図８の例では、年月日が特定されない時間帯が「対象期間」に記憶される例を示したが、「対象期間」には、年月日や曜日が記憶されてもよい。
【００５９】
（制御部１３０について）
制御部１３０は、例えば、ＣＰＵ（Central  Processing  Unit）やＭＰＵ（Micro  Processing  Unit）等によって、配信装置１００内部の記憶装置に記憶されている各種プログラム（配信プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００６０】
かかる制御部１３０は、図４に示すように、受付部１３１と、算定部１３２と、取得部１３４と、生成部１３５と、受信部１３３と、配信部１３６とを有し、以下に説明する情報処理の機能や作用を実現または実行する。なお、制御部１３０の内部構成は、図４に示した構成に限られず、後述する情報処理を行う構成であれば他の構成であってもよい。また、制御部１３０が有する各処理部の接続関係は、図４に示した接続関係に限られず、他の接続関係であってもよい。
【００６１】
（受付部１３１について）
受付部１３１は、広告主装置２０から広告コンテンツの入稿を受け付け、受け付けた広告コンテンツを広告コンテンツ記憶部１２１に格納する。具体的には、受付部１３１は、入札価格、配信期間および広告予算の指定とともに広告コンテンツの入稿を受け付け、入稿された広告コンテンツに対応付けて、入札価格、配信期間および広告予算を広告コンテンツ記憶部１２１に格納する。このとき、受付部１３１は、広告コンテンツの入稿元である広告主に対応する広告主ＩＤについても広告コンテンツ記憶部１２１に格納する。なお、広告コンテンツの種別が表示課金型広告である場合には、保証表示回数も受け付け、入稿された広告コンテンツに対応付けて、保証表示回数を広告コンテンツ記憶部１２１に格納する。
【００６２】
（算定部１３２について）
算定部１３２は、選択課金型広告の課金許容額を算出する。具体的には、算定部１３２は、受付部１３１によって受け付けられた配信期間および広告予算に基づいて課金許容額の時間変動を算出する。ここで、算定部１３２は、課金許容額Ｂを表す式「Ｂ  ＝  Ａ・ｘ」における「消化基準額Ａ」を求めることで、課金許容額Ｂの時間変動を算出する。
【００６３】
ここで、図６を用いて、算定部１３２による課金許容額の算出処理の一例について説明する。図６は、実施形態に係る算定部１３２による課金許容額の算出処理の一例を示す図である。ここの例では、配信装置１００によって広告コンテンツの配信制御が行われる期間の単位が「１日」であるものとする。すなわち、配信装置１００は、１日毎に１日当たりの広告予算を消化する配信制御を行う。また、ここでは、図１の例と同様に、所定の広告コンテンツＡＤ１１に着目した例について説明する。
【００６４】
まず、算定部１３２は、配信装置１００によって広告コンテンツＡＤ１１の配信制御が行われる１制御期間当たりの広告予算を算出する。具体的には、ここの例では制御期間の単位が「１日」であるので、算定部１３２は、広告コンテンツ記憶部１２１から広告コンテンツＡＤ１１の配信期間および広告予算を取得し、取得した広告予算を配信期間の日数で除算することにより１日当たりの広告予算を算出する。なお、ここでは、１日当たりの広告予算が「１万円」であるものとする。
【００６５】
続いて、算定部１３２は、１日当たりの広告予算「１万円」を、１日の分単位である「１４４０分」で除算することで消化基準額Ａ「６．９４４円／分」を算出する。このような課金許容額の時間変動における傾きは、上述した「消化基準額Ａ」に該当する。すなわち、算定部１３２は、算出された傾きを許容情報記憶部１２２の消化基準額に格納する。
【００６６】
そして、算定部１３２は、課金許容額Ｂを表す式「Ｂ  ＝  Ａ・ｘ」に、算出された消化基準額Ａと１日の経過時間（分）とを代入することで課金許容額Ｂの時間変動を算出する。具体的には、算定部１３２は、許容情報記憶部１２２に記憶されている消化基準額に対して、現在日時における経過時間を乗算することにより、現時点における課金許容額を算出する。例えば、算定部１３２は、現在時刻が１０時００分である場合には、消化基準額Ａ「６．９４４円／分」に、１日の経過時間「１０×６０分」を乗算することで、課金許容額「４１６６円」を算定する。
【００６７】
なお、算定部１３２は、受付部１３１によって受け付けられた広告コンテンツ毎に、このような算定処理を行う。また、上記例では、算定部１３２が１制御期間当たりの広告予算（上記例では、１日当たりの広告予算）を算出する例を示した。しかし、この例に限られず、受付部１３１が、広告コンテンツの入稿を受け付けた時点で、１制御期間当たりの広告予算を算出し、算出した１制御期間当たりの広告予算を広告コンテンツ記憶部１２１または許容情報記憶部１２２に格納してもよい。
【００６８】
（受信部１３３について）
受信部１３３は、端末装置１０や情報提供装置３０から広告コンテンツの取得要求を受信する。例えば、受信部１３３は、ＨＴＴＰ（Hypertext  Transfer  Protocol）リクエスト等により、広告コンテンツの取得要求を受信する。
【００６９】
なお、受信部１３３に広告コンテンツの取得要求を送信する装置は、情報提供装置３０によって配信されるウェブページによって異なる。例えば、配信装置１００にアクセスするためのＵＲＬが埋め込まれたウェブページが端末装置１０に配信される場合、受信部１３３は、端末装置１０から広告コンテンツの取得要求を受信する。また、広告コンテンツが既に埋め込まれたウェブページが端末装置１０に配信される場合、受信部１３３は、情報提供装置３０から広告コンテンツの取得要求を受信する。本実施形態では、受信部１３３は、端末装置１０から広告コンテンツの取得要求を受信するものとする。
【００７０】
（取得部１３４について）
取得部１３４は、ウェブページに、実績に応じて課金額が決定される広告コンテンツ（例えば、選択課金型広告）が表示される表示回数の傾向を取得する。具体的には、取得部１３４は、選択課金型広告が過去に表示された表示回数の履歴を取得する。例えば、取得部１３４は、受信部１３３によって広告コンテンツの取得要求が受信された場合に、選択課金型広告が過去に表示された日時を配信履歴記憶部１２３から取得する。このように、取得部１３４は、選択課金型広告の表示回数の時間遷移を取得することで選択課金型広告の表示回数の傾向を取得する。
【００７１】
（生成部１３５について）
生成部１３５は、選択課金型広告や表示課金型広告を配信する配信計画を生成する。具体的には、生成部１３５は、取得部１３４によって取得された表示回数の傾向に基づいて、表示課金型広告をウェブページに配信する配信計画を生成する。なお、この場合、ウェブページには、課金形態が異なる選択課金型広告および表示課金型広告の２種類の広告コンテンツが配信されることが前提となる。典型的には、生成部１３５は、選択課金型広告および表示課金型広告の２種類の広告コンテンツをウェブページに含まれる同じ広告枠に配信する配信計画を生成する。すなわち、生成部１３５は、表示課金型広告に分類される広告コンテンツ群と、選択課金型広告に分類される広告コンテンツ群の２種類の群の中から広告コンテンツを抽出して配信する配信計画を生成する。
【００７２】
例えば、生成部１３５は、まず、取得部１３４によって取得された表示回数に基づいて、選択課金型広告の表示回数が多い時間帯を予測する。そして、生成部１３５は、所定の期間の中で選択課金型広告の表示回数が多いと予測される時間帯ほど、表示課金型広告をウェブページに多く配信する配信計画を生成する。例えば、生成部１３５は、選択課金型広告の表示回数が多いと予測される時間帯ほど、表示課金型広告および選択課金型広告の合計配信回数に対する表示課金型広告の配信回数の割合が多くなるように配信計画を生成する。言い換えると、生成部１３５は、選択課金型広告の表示回数が多いと予測される時間帯ほど、表示課金型広告および選択課金型広告の合計配信回数に対する選択課金型広告の配信回数の割合が少なくなるように配信計画を生成する。
【００７３】
例えば、１１時から１３時の時間帯が選択課金型広告の表示回数が多い時間帯であるものとする。この場合、生成部１３５は、図８に示すように、１１時から１３時の時間帯に、表示課金型広告「ＡＤ２１」を「２２０００」回配信し、選択課金型広告「ＡＤ１１」を「８０００」回配信する配信計画を生成する。このように、生成部１３５は、選択課金型広告の表示回数が多いと予測される時間帯ほど、表示課金型広告および選択課金型広告の合計配信回数に対する表示課金型広告の配信回数の割合が多くなる配信計画を生成する。そして、生成部１３５は、生成した配信計画を計画情報記憶部１２４に格納する。なお、生成部１３５は、算定部１３２によって算定された選択課金型広告の課金許容額を超えないように選択課金型広告を配信する配信計画を生成する。
【００７４】
一般的に、選択課金型広告の表示回数が多い時間帯ほど配信可能な選択課金型広告のｅＣＰＭが低くなる傾向がある。このため、生成部１３５は、選択課金型広告の表示回数が多いと予測される時間帯ほど、表示課金型広告をウェブページに多く配信する配信計画を生成することで、配信可能な選択課金型広告のｅＣＰＭが高くなる配信計画を生成することができる。
【００７５】
なお、生成部１３５は、選択課金型広告および表示課金型広告に限らず、表示課金型広告と各種の課金形態の広告コンテンツとを配信する配信計画を生成してもよい。具体的には、生成部１３５は、表示課金型広告とパフォーマンスに応じて課金額を決定する各種のパフォーマンス広告とを配信する配信計画を生成する。例えば、生成部１３５は、表示課金型広告と、広告コンテンツの表示時間に応じて課金額を決定する表示時間課金型広告や、広告コンテンツを配信した結果としてユーザが会員登録、資料請求、商品購入などの最終成果に至った場合に課金するコンバージョン課金型広告とをウェブページに含まれる同じ広告枠に配信する配信計画を生成する。
【００７６】
（配信部１３６について）
配信部１３６は、受信部１３３によって広告コンテンツの取得要求が受信された場合に、広告コンテンツ記憶部１２１に記憶されている広告コンテンツのいずれかを配信する。具体的には、配信部１３６は、生成部１３５によって生成された配信計画に基づいて、広告コンテンツ記憶部１２１から配信対象の広告コンテンツを抽出し、抽出した広告コンテンツを端末装置１０や情報提供装置３０に配信する。なお、配信対象の広告コンテンツは、典型的には、表示課金型広告に分類される広告コンテンツ群と、選択課金型広告に分類される広告コンテンツ群の２種類の群に分類される。この場合、配信部１３６は、計画情報記憶部１２４に記憶された時間帯ごとの配信回数を達成するように、表示課金型広告に分類される広告コンテンツ群および選択課金型広告に分類される広告コンテンツ群の中から広告コンテンツを配信する。このようにして、配信部１３６は、生成部１３５によって生成された配信計画を満たすように広告コンテンツを配信する。
【００７７】
なお、上記では、配信計画に基づいて、配信対象の広告コンテンツを決定する例を示したが、配信部１３６は、種々の手法による広告コンテンツ抽出処理を組み合わせて、配信対象の広告コンテンツを決定してもよい。例えば、配信部１３６は、最初に、広告コンテンツ記憶部１２１から、広告コンテンツが表示されるウェブページ（すなわち、ユーザが閲覧するウェブページ）に含まれるキーワードと合致する所定数の広告コンテンツを抽出した後に、抽出した所定数の広告コンテンツの中から、配信計画に基づいて配信対象の広告コンテンツを決定してもよい。また、例えば、配信部１３６は、最初に、ユーザ属性（例えば、サイコグラフィック属性やデモグラフィック属性）と合致する所定数の広告コンテンツや、ユーザが入力した検索キーワードと合致する所定数の広告コンテンツを抽出した後に、抽出した所定数の広告コンテンツの中から、配信計画に基づいて配信対象の広告コンテンツを決定してもよい。また、例えば、配信部１３６は、最初に、配信計画に基づいて配信候補の広告コンテンツを抽出した後に、抽出した配信候補の広告コンテンツの中から、ウェブページに含まれるキーワードや、ユーザ属性や、検索キーワードなどに基づいて、配信対象の広告コンテンツを決定してもよい。また、この例に限られず、配信部１３６は、最初に、配信計画に基づいて配信候補の広告コンテンツを抽出した後に、広告コンテンツのＣＴＲや入札価格に基づいて配信対象の広告コンテンツを決定してもよい。なお、ここでいうＣＴＲは、実際のＣＴＲであってもよいし、ＣＴＲの予測モデル等から予測される予測ＣＴＲであってもよい。また、配信部１３６は、表示課金型広告と、表示時間課金型広告やコンバージョン課金型広告とをウェブページに含まれる同じ広告枠に配信してもよい。
【００７８】
また、配信部１３６は、配信した広告コンテンツがユーザによりクリックされた場合には、端末装置１０からクリックされた旨のクリック通知を受信する。この場合、配信部１３６は、クリック通知に基づいて、配信履歴記憶部１２３にクリック有無を記憶する。また、配信部１３６は、クリック通知に基づいて、クリックされた広告コンテンツに対応する広告コンテンツ記憶部１２１の「累積課金額」に入札価格を加算するとともに、許容情報記憶部１２２の「制御期間内の累積課金額」に入札価格を加算する。
【００７９】
また、配信部１３６は、配信装置１００によって配信制御が行われる制御期間が切り替わった場合に、許容情報記憶部１２２の「制御期間内の累積課金額」を「０」に更新する。例えば、制御期間が「１日」であり、制御期間の開始時刻が「０時」である場合、配信部１３６は、「０時」になるたびに、許容情報記憶部１２２の「制御期間内の累積課金額」を「０」に更新する。
【００８０】
〔４．受付処理手順〕
次に、図９を用いて、実施形態に係る配信装置１００による受付処理の手順について説明する。図９は、実施形態に係る配信装置１００による受付処理手順を示すフローチャートである。
【００８１】
図９に示すように、配信装置１００の受付部１３１は、広告主装置２０から広告コンテンツの入稿を受け付けたか否かを判定する（ステップＳ１０１）。そして、受付部１３１は、入稿を受け付けていない場合には（ステップＳ１０１；Ｎｏ）、入稿を受け付けるまで待機する。一方、受付部１３１は、入稿を受け付けた場合には（ステップＳ１０１；Ｙｅｓ）、入稿された広告コンテンツと、入稿時に広告主によって指定された入札価格、配信期間、広告予算および保証表示回数とを広告コンテンツ記憶部１２１に格納する（ステップＳ１０２）。
【００８２】
続いて、算定部１３２は、受付部１３１によって受け付けられた広告コンテンツの配信期間および広告予算に基づいて、課金許容額の時間変動を算出する（ステップＳ１０３）。例えば、算定部１３２は、１日当たりの広告予算を、１日の分単位で除算することで消化基準額を算出し、算出された消化基準額に対して、現在日時における経過時間を乗算することにより、現時点における課金許容額を算出する。
【００８３】
そして、算定部１３２は、算出された課金許容額の時間変動に基づいて、許容情報記憶部１２２を更新する（ステップＳ１０４）。例えば、算定部１３２は、課金許容額の時間変動における傾きを消化基準額として許容情報記憶部１２２に格納する。
【００８４】
〔５．配信処理手順〕
次に、図１０を用いて、実施形態に係る配信装置１００による配信処理の手順について説明する。図１０は、実施形態に係る配信装置１００による配信処理手順を示すフローチャートである。
【００８５】
図１０に示すように、配信装置１００の受信部１３３は、広告コンテンツの取得要求を受信したか否かを判定する（ステップＳ２０１）。そして、受信部１３３は、取得要求を受信していない場合には（ステップＳ２０１；Ｎｏ）、取得要求を受信するまで待機する。
【００８６】
一方、受信部１３３によって取得要求が受信された場合には（ステップＳ２０１；Ｙｅｓ）、取得部１３４は、配信履歴記憶部１２３から選択課金型広告の表示回数の傾向を取得する（ステップＳ２０２）。
【００８７】
続いて、生成部１３５は、取得部１３４によって取得された選択課金型広告の表示回数の傾向に基づいて、選択課金型広告の表示回数が多い時間帯を予測する（ステップＳ２０３）。そして、生成部１３５は、所定の期間の中で選択課金型広告の表示回数が多いと予測された時間帯ほど表示課金型広告を多く配信する配信計画を生成する（ステップＳ２０４）。
【００８８】
続いて、配信部１３６は、生成された配信計画に基づいて広告コンテンツを配信する（ステップＳ２０５）。
【００８９】
〔６．変形例〕
上述した実施形態に係る配信装置１００は、上記実施形態以外にも種々の異なる形態にて実施されてよい。そこで、以下では、上記の配信装置１００の他の実施形態について説明する。
【００９０】
〔６−１．配信計画の生成（１）〕
上記実施形態では、生成部１３５は、所定の期間の中で選択課金型広告の表示回数が多いと予測される時間帯ほど、表示課金型広告をコンテンツに多く配信する配信計画を生成する例を示した。しかし、この例に限られず、生成部１３５は、選択課金型広告の表示回数が所定の配信期間中一定になるように表示課金型広告をウェブページに配信する配信計画を生成してもよい。
【００９１】
この点について、図１１を用いて説明する。図１１は、表示回数の時間遷移を示す図である。図１１は、縦軸は、選択課金型広告の表示回数と配信可能な選択課金型広告のｅＣＰＭとを示す。横軸は、１日の時刻を示す。なお、図１１では、「表示回数」は、配信装置１００によって配信される選択課金型広告の表示回数ＩＬを示す。「ｅＣＰＭ」は、配信装置１００が配信可能な選択課金型広告のｅＣＰＭの値ＥＬを示す。
【００９２】
ここで、配信装置１００は、選択課金型広告の表示回数が所定の配信期間中一定になるように表示課金型広告をコンテンツに配信する配信計画を生成する。選択課金型広告の在庫や広告予算の制約の影響を軽減するためである。例えば、配信装置１００は、図１１に示すように、時刻０：００〜２４：００において選択課金型広告の表示回数ＳＬが常に４００万回になるように表示課金型広告をコンテンツに配信する配信計画を生成する。なお、配信装置１００は、選択課金型広告の課金累計額が課金許容額を超えないように、選択課金型広告の表示回数が所定の配信期間の中で一定になる配信計画を生成する。
【００９３】
このように、配信装置１００は、選択課金型広告の表示回数が所定の配信期間中一定になるように表示課金型広告をコンテンツに配信する配信計画を生成する。
【００９４】
これにより、配信装置１００は、表示回数の多い時間帯に表示課金型広告を配信することができるので、表示課金型広告のブランディング効果を増大させることができる。また、配信装置１００は、広告コンテンツの配信停止を防ぐことができるので、広告コンテンツの配信によって得られる収益を向上させることができる。
【００９５】
〔６−２．配信計画の生成（２）〕
また、上記実施形態では、配信装置１００は、配信可能な選択課金型広告の価値（例えば、ｅＣＰＭ）に基づいて配信計画を生成してもよい。具体的には、生成部１３５は、所定の期間の中で配信可能な選択課金型広告の価値を示す指標値が高くなると予測される時間帯ほど、選択課金型広告をコンテンツに多く配信する配信計画を生成する。
【００９６】
例えば、配信装置１００は、取得部１３４によって取得された選択課金型広告の表示回数の傾向に基づいて、配信可能な選択課金型広告のｅＣＰＭが高くなる時間帯を予測する。一般的に、選択課金型広告の表示回数が多い時間帯ほど配信可能な選択課金型広告のｅＣＰＭは低くなる傾向がある。そして、配信装置１００は、所定の期間の中で配信可能な選択課金型広告のｅＣＰＭが高くなると予測される時間帯ほど、選択課金型広告をコンテンツに多く配信する配信計画を生成する。
【００９７】
このように、配信装置１００は、取得部１３４によって取得された表示回数の傾向に基づいて、所定の期間の中で配信可能な選択課金型広告の価値を示す指標値が高くなると予測される時間帯ほど、選択課金型広告をコンテンツに多く配信する配信計画を生成する。
【００９８】
これにより、配信装置１００は、配信可能な選択課金型広告の価値を示す指標値が高い時間帯に選択課金型広告を配信することができるので、広告コンテンツの配信によって得られる収益を向上させることができる。
【００９９】
なお、配信可能な選択課金型広告のｅＣＰＭは、選択課金型広告の在庫や広告予算の制約を達成するために、早い時間帯や１日の終わりの時間帯にかけて選択課金型広告を多く配信する場合がある。これにより、配信可能な選択課金型広告のｅＣＰＭは、早い時間帯や１日の終わりの時間帯に増加する傾向がある。この場合においても、配信装置１００は、配信可能な選択課金型広告のｅＣＰＭが高い時間帯に選択課金型広告を配信する制御をすることで広告コンテンツの配信によって得られる収益を向上させることができる。
【０１００】
〔６−３．配信計画の生成（３）〕
また、上記実施形態では、配信装置１００は、選択課金型広告が選択される割合を示す選択率（例えば、ＣＴＲ）に基づいて配信計画を生成してもよい。具体的には、生成部１３５は、取得部１３４によって取得された表示回数の傾向に基づいて、所定の期間の中で配信可能な選択課金型広告の選択率が高くなると予測される時間帯ほど、選択課金型広告をコンテンツに多く配信する配信計画を生成する。
【０１０１】
例えば、配信装置１００は、取得部１３４によって取得された選択課金型広告の表示回数の傾向に基づいて、配信可能な選択課金型広告のＣＴＲが高くなる時間帯を予測する。そして、配信装置１００は、所定の期間の中で配信可能な選択課金型広告のＣＴＲが高くなると予測される時間帯ほど、選択課金型広告をコンテンツに多く配信する配信計画を生成する。
【０１０２】
このように、配信装置１００は、取得部１３４によって取得された表示回数の傾向に基づいて、所定の期間の中で選択課金型広告が選択される割合を示す選択率が高くなると予測される時間帯ほど、選択課金型広告をコンテンツに多く配信する配信計画を生成する。
【０１０３】
これにより、配信装置１００は、配信する選択課金型広告が選択される確率が高くなるので、広告コンテンツの配信によって得られる収益を向上させることができる。
【０１０４】
〔６−４．配信計画の生成（４）〕
また、上記実施形態では、配信装置１００は、複数の広告枠に表示される課金型広告の表示回数の合計値に基づいて配信計画を生成してもよい。具体的には、配信装置１００は、ウェブページに、選択課金型広告または表示課金型広告が表示される広告枠と選択課金型広告が表示される専用枠とが含まれる場合に、広告枠および専用枠に表示される選択課金型広告の表示回数の合計値の傾向を取得し、取得された広告枠および専用枠に表示される選択課金型広告の表示回数の合計値の傾向に基づいて、所定の期間の中で表示回数の合計値が高くなると予測される時間帯ほど、表示課金型広告を広告枠に多く配信する配信計画を生成する。
【０１０５】
この点について、図１２を用いて説明する。図１２は、ウェブページの一例を示す図である。例えば、図１２に示すように、ウェブページＷ１は、選択課金型広告または表示課金型広告が表示される広告枠ＡＲ１１と選択課金型広告が表示される専用枠ＡＲ１２とを有する。この場合、配信装置１００は、まず、広告枠ＡＲ１１および専用枠ＡＲ１２に表示される選択課金型広告の表示回数の合計値の傾向を取得する。続いて、配信装置１００は、取得された広告枠ＡＲ１１および専用枠ＡＲ１２に表示される選択課金型広告の表示回数の合計値の傾向に基づいて、所定の期間の中で選択課金型広告の表示回数の合計値が高くなる時間帯を予測する。そして、配信装置１００は、所定の期間の中で選択課金型広告の表示回数の合計値が高くなると予測された時間帯ほど、表示課金型広告を広告枠ＡＲ１１に多く配信する配信計画を生成する。
【０１０６】
このように、配信装置１００は、コンテンツに選択課金型広告または表示課金型広告が表示される広告枠と選択課金型広告が表示される専用枠とが含まれる場合に、広告枠および専用枠に表示される選択課金型広告の表示回数の合計値の傾向を取得し、取得された広告枠および専用枠に表示される選択課金型広告の表示回数の合計値の傾向に基づいて、所定の期間の中で表示回数の合計値が高くなると予測される時間帯ほど、表示課金型広告を広告枠に多く配信する配信計画を生成する。
【０１０７】
これにより、配信装置１００は、ウェブページに含まれる全ての広告枠や専用枠を考慮して配信計画を生成することができるので、選択課金型広告のｅＣＰＭの時系列特性に沿って選択課金型広告を配信することができる。
【０１０８】
〔６−５．配信計画の生成（５）〕
また、上記実施形態では、配信装置１００は、コンテンツの取得要求を送信した端末装置１０を操作するユーザのユーザ情報、コンテンツの種類または選択課金型広告の配信時期に基づいて配信計画を生成してもよい。具体的には、配信装置１００は、ユーザ情報、コンテンツの種類または選択課金型広告の配信時期を取得し、取得されたユーザ情報、コンテンツの種類または選択課金型広告の配信時期に基づいて、所定の期間の中で選択課金型広告の表示回数が多くなると予測される時間帯ほど、表示課金型広告をコンテンツに多く配信する配信計画を生成する。
【０１０９】
例えば、配信装置１００は、ユーザ情報として、性別、年齢、居住地域、興味を持つ分野といった各種の情報を取得する。他の例では、配信装置１００は、コンテンツの種類として、ニュースやファイナンスといったユーザが閲覧しているウェブページに関する情報を取得する。また、他の例では、配信装置１００は、選択課金型広告の配信時期として、現在日時の曜日や四季などの季節性に関する情報を取得する。
【０１１０】
続いて、配信装置１００は、取得したユーザ情報、コンテンツの種類または選択課金型広告の配信時期に基づいて、所定の期間の中で配信可能な選択課金型広告のＣＴＲが高くなる時間帯を予測する。そして、配信装置１００は、配信可能な選択課金型広告のＣＴＲが高くなると予測される時間帯ほど、選択課金型広告をコンテンツに多く配信する配信計画を生成する。
【０１１１】
このように、配信装置１００は、ユーザ情報、コンテンツの種類または選択課金型広告の配信時期を取得する。そして、配信装置１００は、取得されたユーザ情報、コンテンツの種類または選択課金型広告の配信時期に基づいて、所定の期間の中で選択課金型広告の表示回数が多くなると予測される時間帯ほど、表示課金型広告をコンテンツに多く配信する配信計画を生成する。
【０１１２】
これにより、配信装置１００は、ユーザの属性に合った選択課金型広告を配信することができるので、ユーザが閲覧したウェブページに関連した選択課金型広告を配信することができる。また、配信装置１００は、選択課金型広告の配信時期に応じた配信計画を生成することができる。このため、配信装置１００は、ユーザにとって魅力的な選択課金型広告を配信することができるので、選択課金型広告が選択される確率を高くすることができる。これにより、配信装置１００は、広告コンテンツの配信によって得られる収益を向上させることができる。
【０１１３】
なお、配信装置１００は、ユーザの属性、コンテンツの種類または選択課金型広告の配信時期に基づいて、選択課金型広告の価値を示す指標値が低くなると予測される時間帯ほど、表示課金型広告をコンテンツに多く配信する配信計画を生成してもよい。例えば、配信装置１００は、ユーザの属性、コンテンツの種類または選択課金型広告の配信時期に基づいて、選択課金型広告のｅＣＰＭが低くなると予測される時間帯ほど、表示課金型広告をコンテンツに多く配信する配信計画を生成する。
【０１１４】
これにより、配信装置１００は、ｅＣＰＭが低い選択課金型広告の配信を少なくすることができるので、広告コンテンツの配信によって得られる収益を向上させることができる。
【０１１５】
〔６−６．配信計画の生成（６）〕
また、上記実施形態では、配信装置１００は、選択課金型広告の表示回数や配信可能な選択課金型広告の指標値の過去の履歴に基づいて配信計画を生成してもよい。具体的には、取得部１３４は、選択課金型広告の表示回数または配信可能な選択課金型広告のｅＣＰＭの過去の履歴を取得する。続いて、生成部１３５は、取得部１３４によって取得された選択課金型広告の表示回数または配信可能な選択課金型広告のｅＣＰＭの過去の履歴に基づいて、表示課金型広告をコンテンツに配信する配信計画を生成する。
【０１１６】
このように、配信装置１００は、選択課金型広告の表示回数または配信可能な選択課金型広告の指標値の過去の履歴を取得し、取得された選択課金型広告の表示回数または配信可能な選択課金型広告の指標値の過去の履歴に基づいて、表示課金型広告をコンテンツに配信する配信計画を生成する。
【０１１７】
これにより、配信装置１００は、選択課金型広告の表示回数または配信可能な選択課金型広告の指標値の時系列的な変化を学習した上で配信計画を生成することができるので、広告コンテンツの配信によって得られる収益を向上させることができる。
【０１１８】
〔６−７．配信計画の生成（７）〕
また、上記実施形態では、配信装置１００は、選択課金型広告および表示課金型広告の評価指標に基づいて配信計画を生成してもよい。具体的には、取得部１３４は、選択課金型広告の価値を示す指標値、選択課金型広告が選択される割合を示す選択率、表示課金型広告による成果の割合を示すＣＶＲ（Conversion  Rate）、表示課金型広告の選択率または表示課金型広告のＣＶＲの傾向を取得する。ここで、ＣＶＲは、広告を配信した回数に対して、コンバージョン（例えば、商品購入や資料請求などの、コンテンツ上から獲得できる最終成果）に至った回数の割合を示す。そして、生成部１３５は、取得部１３４によって取得された選択課金型広告の指標値、選択課金型広告の選択率、表示課金型広告のＣＶＲ、表示課金型広告の選択率または表示課金型広告のＣＶＲの傾向に基づいて、表示課金型広告および選択課金型広告を配信する配信計画を生成する。
【０１１９】
例えば、選択課金型広告と表示課金型広告とが配信される広告枠の１日の表示回数の時系列変化をＩｍｐｓ（ｔ）とする。なお、「ｔ」は、１時間単位の場合には、０〜２３の値となる。１分単位の場合には、「ｔ」は、０〜１４３９の値となる。また、選択課金型広告の１日の表示回数の時系列変化をＩｍｐｓ＿Ｃ（ｔ）とする。表示課金型広告の１日の表示回数の時系列変化をＩｍｐｓ＿Ｉ（ｔ）とする。表示課金型広告の配信すべき１日の表示回数をＩｍｐｓ＿Ｉ＿Ｔｏｔａｌとする。
【０１２０】
ここで、配信装置１００は、選択課金型広告の１日の合計売上を示す式（１）と表示課金型広告の１日の合計クリック数を示す式（２）とを最大化するＩｍｐｓ＿Ｃ（ｔ）およびＩｍｐｓ＿Ｉ（ｔ）を算出する。なお、式（１）に含まれるＣＴＲ＿Ｃ（ｔ）は、選択課金型広告がクリックされる割合であるＣＴＲを示す。ＣＰＣ＿Ｃ（ｔ）は、選択課金型広告が１回選択される毎に広告主に課金する額であるＣＰＣ（Click  Per  Cost）を示す。また、式（２）に含まれるＣＴＲ＿Ｉ（ｔ）は、表示課金型広告がクリックされる割合であるＣＴＲを示す。
【０１２１】
【数１】
2015153095.tif 000003
【０１２２】
【数２】
2015153095.tif 000004
【０１２３】
この場合、制約条件は、式（３）および式（４）となる。
【０１２４】
【数３】
2015153095.tif 000005
【０１２５】
【数４】
2015153095.tif 000006
【０１２６】
式（３）は、時刻ｔにおける広告枠の表示回数Ｉｍｐｓ（ｔ）が、時刻ｔにおける選択課金型広告の表示回数Ｉｍｐｓ＿Ｃ（ｔ）および表示課金型広告の表示回数Ｉｍｐｓ＿Ｉ（ｔ）の合計値になるように制約する制約条件である。式（４）は、各時刻における表示課金型広告の表示回数Ｉｍｐｓ＿Ｉ（ｔ）の合計値が、表示課金型広告の配信すべき１日の表示回数をＩｍｐｓ＿Ｉ＿Ｔｏｔａｌになるように制約する制約条件である。
【０１２７】
そして、配信装置１００は、式（３）および式（４）の制約条件の下で式（５）が最大となるＩｍｐｓ＿Ｃ（ｔ）およびＩｍｐｓ＿Ｉ（ｔ）を算出する。
【０１２８】
【数５】
2015153095.tif 000007
【０１２９】
なお、式（５）に含まれるαおよびβは、選択課金型広告と表示課金型広告の重視度合いを示す補正係数である。例えば、選択課金型広告を重視する場合には、αをβより大きい値に設定する。また、αを０に設定した場合は、表示課金型広告による収益を最大化するＩｍｐｓ＿Ｉ（ｔ）が算出される。βを０に設定した場合は、選択課金型広告による収益を最大化するＩｍｐｓ＿Ｃ（ｔ）が算出される。
【０１３０】
このように、配信装置１００は、選択課金型広告の価値を示す指標値、選択課金型広告が選択される割合を示す選択率、表示課金型広告による成果の割合を示すＣＶＲ、表示課金型広告の選択率または表示課金型広告のＣＶＲの傾向を取得し、取得された選択課金型広告の指標値、選択課金型広告の選択率、表示課金型広告のＣＶＲ、表示課金型広告の選択率または表示課金型広告のＣＶＲの傾向に基づいて、表示課金型広告および選択課金型広告を配信する配信計画を生成する。
【０１３１】
これにより、配信装置１００は、選択課金型広告および表示課金型広告の双方の収益を最大にする配信計画を生成することができるので、広告コンテンツの配信によって得られる収益を向上させることができる。
【０１３２】
〔６−８．配信計画の生成（８）〕
また、上記実施形態では、配信装置１００は、表示課金型広告の選択率を悪化させずに、選択課金型広告を配信することによって得られる収益を最大化する配信計画を生成してもよい。具体的には、取得部１３４は、選択課金型広告の表示回数、選択課金型広告の価値を示す指標値、選択課金型広告が選択される割合を示す選択率、表示課金型広告の表示回数および表示課金型広告の選択率の傾向を取得する。そして、生成部１３５は、取得部１３４によって取得された選択課金型広告の表示回数、選択課金型広告の指標値、選択課金型広告の選択率、表示課金型広告の表示回数および表示課金型広告の選択率の傾向に基づいて、配信される表示課金型広告の選択率が所定の閾値以上になるようにしつつ、選択課金型広告を配信することによって得られる収益が高くなるように選択課金型広告をコンテンツに配信する配信計画を生成する。
【０１３３】
この点について、図１３を用いて説明する。図１３は、変形例に係る生成処理を説明するための説明図である。図１３に示すように、配信装置１００は、選択課金型広告Ｙ、表示課金型広告Ｐおよび表示課金型広告Ｊを配信するものとする。ここで、ＩｍｐｓＹ（ｔ）は、時刻ｔにおける選択課金型広告Ｙの表示回数を示す。ＩｍｐｓＰ（ｔ）は、時刻ｔにおける表示課金型広告Ｐの表示回数を示す。ＩｍｐｓＪ（ｔ）は、時刻ｔにおける表示課金型広告Ｊの表示回数を示す。
【０１３４】
そして、配信装置１００は、表示課金型広告Ｐの選択率および表示課金型広告Ｊの選択率を悪化させずに、選択課金型広告Ｙを配信することによって得られる収益を最大化する配信計画を生成する。この場合、制約条件は、式（６）〜式（１１）となる。
【０１３５】
【数６】
2015153095.tif 000008
【０１３６】
【数７】
2015153095.tif 000009
【０１３７】
【数８】
2015153095.tif 000010
【０１３８】
【数９】
2015153095.tif 000011
【０１３９】
【数１０】
2015153095.tif 000012
【０１４０】
【数１１】
2015153095.tif 000013
【０１４１】
式（６）は、ＩｍｐｓＹが、選択課金型広告Ｙの各時刻における表示回数ＩｍｐｓＹ（ｔ）の合計値になるように制約する制約条件である。式（７）は、ＩｍｐｓＰが、表示課金型広告Ｐの各時刻における表示回数ＩｍｐｓＰ（ｔ）の合計値になるように制約する制約条件である。式（８）は、ＩｍｐｓＪが、表示課金型広告Ｊの各時刻における表示回数ＩｍｐｓＪ（ｔ）の合計値になるように制約する制約条件である。式（９）は、Ｉｍｐｓ（ｔ）が、時刻ｔにおける選択課金型広告Ｙの表示回数ＩｍｐｓＹ（ｔ）、表示課金型広告Ｐの表示回数ＩｍｐｓＰ（ｔ）および表示課金型広告Ｊの表示回数ＩｍｐｓＪ（ｔ）の合計値になるように制約する制約条件である。
【０１４２】
式（１０）は、表示課金型広告Ｐの選択率が所定の選択率ＣＴＲＰ以上になるように制約する制約条件である。式（１１）は、表示課金型広告Ｊの選択率が所定の選択率ＣＴＲＪ以上になるように制約する制約条件である。
【０１４３】
そして、配信装置１００は、式（６）〜式（１１）の制約条件の下で式（１２）が最大となるＩｍｐｓＹ（ｔ）を算出する。
【０１４４】
【数１２】
2015153095.tif 000014
【０１４５】
式（１２）は、選択課金型広告Ｙが選択されることで得られる収益を示す目的関数である。式（１２）の最大値は、式（６）〜式（１１）の制約条件の下で、選択課金型広告Ｙが選択されることで得られる収益が最も多いことを示す。このため、配信装置１００は、式（１２）が最大値となる選択課金型広告Ｙの表示回数ＩｍｐｓＹ（ｔ）を算出する。そして、配信装置１００は、算出された選択課金型広告Ｙの表示回数に基づいて配信計画を生成する。
【０１４６】
このように、配信装置１００は、選択課金型広告の表示回数、選択課金型広告の価値を示す指標値、選択課金型広告が選択される割合を示す選択率、表示課金型広告の表示回数および表示課金型広告の選択率の傾向を取得し、取得された選択課金型広告の表示回数、選択課金型広告の指標値、選択課金型広告の選択率、表示課金型広告の表示回数および表示課金型広告の選択率の傾向に基づいて、配信される表示課金型広告の選択率が所定の閾値以上になるようにしつつ、選択課金型広告を配信することによって得られる収益が高くなるように選択課金型広告をコンテンツに配信する配信計画を生成する。
【０１４７】
これにより、配信装置１００は、表示課金型広告の選択率を悪化させずに、選択課金型広告を配信することによって得られる収益を最大化する配信計画を生成することができるので、広告コンテンツの配信によって得られる収益を向上させることができる。
【０１４８】
〔６−９．配信計画の生成（９）〕
また、上記実施形態では、配信装置１００は、１日のうちの所定の時間帯に対して配信計画を生成してもよい。例えば、生成部１３５は、選択課金型広告の表示回数が多い時間帯に対して配信計画を生成する。選択課金型広告の表示回数が少ない時間帯に対して配信計画を生成しても効果が少ないからである。
【０１４９】
このように、配信装置１００は、１日のうちの所定の時間帯に対して配信計画を生成する。これにより、配信装置１００は、効果の少ない時間帯には配信計画を生成しないので、配信処理の負荷を軽減することができる。また、配信装置１００は、選択課金型広告の表示回数が少ない時間帯に表示課金型広告ばかりが配信されてしまうことを防ぐことができる。
【０１５０】
〔６−１０．制御期間の単位〕
また、上記実施形態では、配信装置１００によって広告コンテンツの配信制御が行われる制御期間の単位が「１日」である例を示したが、この例に限られず、制御期間の単位は、「１日」以外の他の単位であってもよい。例えば、制御期間の単位は、「１０時間」、「３日」、「１週間」、「１ヶ月」などであってもよい。
【０１５１】
〔６−１１．装置構成〕
また、上記実施形態では、広告配信システム１に、情報提供装置３０と配信装置１００とが含まれる例を示したが、情報提供装置３０と配信装置１００とは１個の装置として形成されてもよい。そして、配信装置１００は、端末装置１０からウェブページの取得要求を受け付けた場合に、広告コンテンツ記憶部１２１から抽出した広告コンテンツとともに、広告取得命令を含まないウェブページを端末装置１０に配信する。
【０１５２】
〔６−１２．その他〕
また、上記実施形態では、広告コンテンツやウェブページのリンク領域を選択するユーザ操作を「クリック」と表記したが、かかるユーザ操作は、マウスを用いたクリック操作に限られない。例えば、上述してきた「クリック」は、指によって広告コンテンツ等をタップする操作や、視線によって広告コンテンツ等を選択する操作であってもよい。
【０１５３】
また、上記実施形態では、ウェブページに広告コンテンツが重ねて表示される例を示したが、広告コンテンツと重ねて表示されるコンテンツは、ウェブページに限られない。例えば、携帯電話ゲーム等の画面に広告表示領域が含まれる場合、上述してきた広告コンテンツは、ゲーム画面等と重ねて表示されてもよい。
【０１５４】
また、上記実施形態では、広告コンテンツを例に挙げて説明したが、ウェブページに表示されるコンテンツは、広告目的の広告コンテンツに限られない。例えば、上述してきた広告コンテンツは、天気情報や震災情報などを通知するためのコンテンツであってもよい。
【０１５５】
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１５６】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図４に示した受付部１３１および受信部１３３は統合されてもよい。
【０１５７】
〔６−１３．ハードウェア構成〕
また、上述してきた実施形態に係る配信装置１００は、例えば図１４に示すような構成のコンピュータ１０００によって実現される。以下、配信装置１００を例に挙げて説明する。図１４は、配信装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、およびメディアインターフェイス（Ｉ／Ｆ）１７００を有する。
【０１５８】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１５９】
ＨＤＤ１４００は、ＣＰＵ１１００によって実行されるプログラム、および、かかるプログラムによって使用されるデータ等を格納する。通信インターフェイス１５００は、通信網５０（図３に示したネットワークＮに対応）を介して他の機器からデータを受信してＣＰＵ１１００へ送り、ＣＰＵ１１００が生成したデータを通信網５０を介して他の機器へ送信する。
【０１６０】
ＣＰＵ１１００は、入出力インターフェイス１６００を介して、ディスプレイやプリンタ等の出力装置、および、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１６１】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto  Optical  disk）等の光磁気記録媒体、テープ媒体、磁気記録媒体、または半導体メモリ等である。
【０１６２】
例えば、コンピュータ１０００が実施形態に係る配信装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、記憶部１２０内のデータが格納される。コンピュータ１０００のＣＰＵ１１００は、これらのプログラムを記録媒体１８００から読み取って実行するが、他の例として、他の装置から通信網５０を介してこれらのプログラムを取得してもよい。
【０１６３】
〔７．効果〕
上述してきたように、実施形態に係る配信装置１００は、取得部１３４と、生成部１３５とを有する。取得部１３４は、ウェブページに、実績（例えば、選択回数）に応じて課金額が決定される広告コンテンツ（例えば、選択課金型広告）が表示される表示回数の傾向を取得する。生成部１３５は、取得部１３４によって取得された表示回数の傾向に基づいて、表示回数に応じて課金額が決定される表示課金型広告をウェブページに配信する配信計画を生成する。
【０１６４】
また、実施形態に係る配信装置１００において、生成部１３５は、取得部１３４によって取得された表示回数の傾向に基づいて、所定の期間の中で選択課金型広告の表示回数が多いと予測される時間帯ほど、表示回数に応じて課金額が決定される表示課金型広告をウェブページに多く配信する配信計画を生成する。
【０１６５】
これにより、実施形態に係る配信装置１００は、配信可能な選択課金型広告のｅＣＰＭが低い時間帯に表示課金型広告を配信することができるので、配信可能な選択課金型広告の平均ｅＣＰＭを高めることができる。また、配信装置１００は、高い入札価格の選択課金型広告が配信停止となることを防ぐことができるので、低い入札価格の広告選択課金型広告が配信されてしまうことを防ぐことができる。このため、配信装置１００は、選択課金型広告の配信によって得られる収益を向上させることができる。
【０１６６】
また、実施形態に係る配信装置１００において、生成部１３５は、選択課金型広告の表示回数が所定の配信期間中一定になるように表示課金型広告をウェブページに配信する配信計画を生成する。
【０１６７】
これにより、実施形態に係る配信装置１００は、高い入札価格の選択課金型広告が配信停止となることを防ぐことができるので、選択課金型広告の配信によって得られる収益を向上させることができる。
【０１６８】
また、実施形態に係る配信装置１００において、生成部１３５は、取得部１３４によって取得された表示回数の傾向に基づいて、所定の期間の中で配信可能な選択課金型広告の価値を示す指標値が高くなると予測される時間帯ほど、選択課金型広告をウェブページに多く配信する配信計画を生成する。
【０１６９】
これにより、実施形態に係る配信装置１００は、配信可能な選択課金型広告の平均ｅＣＰＭを高めることができる。
【０１７０】
また、実施形態に係る配信装置１００において、生成部１３５は、取得部１３４によって取得された表示回数の傾向に基づいて、所定の期間の中で選択課金型広告が選択される割合を示す選択率が高くなると予測される時間帯ほど、選択課金型広告をウェブページに多く配信する配信計画を生成する。
【０１７１】
これにより、実施形態に係る配信装置１００は、選択課金型広告の配信によって得られる収益を向上させることができる。
【０１７２】
また、実施形態に係る配信装置１００において、取得部１３４は、ウェブページに、選択課金型広告または表示課金型広告が表示される広告枠と選択課金型広告が表示される専用枠とが含まれる場合に、広告枠および専用枠に表示される選択課金型広告の表示回数の合計値の傾向を取得する。生成部１３５は、取得部１３４によって取得された広告枠および専用枠に表示される選択課金型広告の表示回数の合計値の傾向に基づいて、所定の期間の中で表示回数の合計値が高くなると予測される時間帯ほど、表示課金型広告を広告枠に多く配信する配信計画を生成する。
【０１７３】
これにより、実施形態に係る配信装置１００は、選択課金型広告の配信によって得られる収益を向上させることができる。
【０１７４】
また、実施形態に係る配信装置１００において、取得部１３４は、選択課金型広告の取得要求を送信した端末装置を操作するユーザのユーザ情報、ウェブページの種類または選択課金型広告の配信時期を取得する。生成部１３５は、取得部１３４によって取得された前記ユーザ情報、ウェブページの種類または選択課金型広告の配信時期に基づいて、所定の期間の中で選択課金型広告の表示回数が多くなると予測される時間帯ほど、表示課金型広告をウェブページに多く配信する配信計画を生成する。
【０１７５】
これにより、実施形態に係る配信装置１００は、選択課金型広告の配信によって得られる収益を向上させることができる。
【０１７６】
また、実施形態に係る配信装置１００において、取得部１３４は、ウェブページの取得要求を送信した端末装置を操作するユーザのユーザ情報、ウェブページの種類または選択課金型広告の配信時期を取得する。生成部１３５は、ユーザ情報、ウェブページの種類または選択課金型広告の配信時期に基づいて、所定の期間の中で選択課金型広告の価値を示す指標値が低くなると予測される時間帯ほど、表示課金型広告をウェブページに多く配信する配信計画を生成する。
【０１７７】
これにより、実施形態に係る配信装置１００は、配信可能な選択課金型広告の平均ｅＣＰＭを高めることができる。
【０１７８】
また、実施形態に係る配信装置１００において、取得部１３４は、選択課金型広告の表示回数または配信可能な選択課金型広告の価値を示す指標値の過去の履歴を取得する。生成部１３５は、取得部１３４によって取得された選択課金型広告の表示回数または配信可能な選択課金型広告の指標値の過去の履歴に基づいて、表示課金型広告をウェブページに配信する配信計画を生成する。
【０１７９】
これにより、実施形態に係る配信装置１００は、選択課金型広告の配信によって得られる収益を向上させることができる。
【０１８０】
また、実施形態に係る配信装置１００において、取得部１３４は、選択課金型広告の価値を示す指標値、選択課金型広告が選択される割合を示す選択率、選択課金型広告による成果の割合を示すＣＶＲ、表示課金型広告の選択率または表示課金型広告のＣＶＲの傾向を取得する。生成部１３５は、取得部１３４によって取得された選択課金型広告の指標値、選択課金型広告の選択率、選択課金型広告のＣＶＲ、表示課金型広告の選択率または表示課金型広告のＣＶＲの傾向に基づいて、選択課金型広告および表示課金型広告を配信する配信計画を生成するする。
【０１８１】
これにより、実施形態に係る配信装置１００は、選択課金型広告の配信によって得られる収益を向上させることができる。
【０１８２】
また、実施形態に係る配信装置１００において、取得部１３４は、選択課金型広告の表示回数、選択課金型広告の価値を示す指標値、選択課金型広告が選択される割合を示す選択率、表示課金型広告の表示回数および表示課金型広告の選択率の傾向を取得する。生成部１３５は、取得部１３４によって取得された選択課金型広告の表示回数、選択課金型広告の指標値、選択課金型広告の選択率、表示課金型広告の表示回数および表示課金型広告の選択率の傾向に基づいて、配信される表示課金型広告の選択率が所定の閾値以上になるようにしつつ、選択課金型広告を配信することによって得られる収益が高くなるように選択課金型広告をウェブページに配信する配信計画を生成する。
【０１８３】
これにより、実施形態に係る配信装置１００は、選択課金型広告の配信によって得られる収益を向上させることができる。
【０１８４】
また、実施形態に係る配信装置１００において、生成部１３５は、１日のうちの所定の時間帯に対して前記配信計画を生成する。
【０１８５】
これにより、実施形態に係る配信装置１００は、配信処理の負荷を軽減することができる。
【０１８６】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【０１８７】
１  広告配信システム
１０  端末装置
２０  広告主装置
３０  情報提供装置
１００  配信装置
１２１  広告コンテンツ記憶部
１２２  許容情報記憶部
１２３  配信履歴記憶部
１２４  計画情報記憶部
１３１  受付部
１３２  算定部
１３３  受信部
１３４  取得部
１３５  生成部
１３６  配信部
【図１】
2015153095.tif 000015
【図２】
2015153095.tif 000016
【図３】
2015153095.tif 000017
【図４】
2015153095.tif 000018
【図５】
2015153095.tif 000019
【図６】
2015153095.tif 000020
【図７】
2015153095.tif 000021
【図８】
2015153095.tif 000022
【図９】
2015153095.tif 000023
【図１０】
2015153095.tif 000024
【図１１】
2015153095.tif 000025
【図１２】
2015153095.tif 000026
【図１３】
2015153095.tif 000027
【図１４】
2015153095.tif 000028
【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
第１コンテンツに実績に応じて課金額が決定される第２コンテンツが表示される表示回数の傾向を取得する取得手段と、
前記取得手段によって取得された表示回数の傾向に基づいて、表示回数に応じて課金額が決定される第３コンテンツを前記第１コンテンツに配信する配信計画を生成する生成手段と
を備え、
前記生成手段は、
所定の期間の中で前記第２コンテンツの表示回数が多いと予測される時間帯ほど、前記第３コンテンツを前記第１コンテンツに多く配信する配信計画を生成する
ことを特徴とする生成装置。
【請求項２】
前記生成手段は、
前記第２コンテンツの表示回数が所定の配信期間中一定になるように前記第３コンテンツを前記第１コンテンツに配信する配信計画を生成する
ことを特徴とする請求項１に記載の生成装置。
【請求項３】
第１コンテンツに実績に応じて課金額が決定される第２コンテンツが表示される表示回数の傾向を取得する取得手段と、
前記取得手段によって取得された表示回数の傾向に基づいて、所定の期間の中で配信可能な前記第２コンテンツの価値を示す指標値が高くなると予測される時間帯ほど、前記第２コンテンツを前記第１コンテンツに多く配信する配信計画を生成する生成手段と
を備えることを特徴とする生成装置。
【請求項４】
第１コンテンツに実績に応じて課金額が決定される第２コンテンツが表示される表示回数の傾向を取得する取得手段と、
前記取得手段によって取得された表示回数の傾向に基づいて、所定の期間の中で前記第２コンテンツが選択される割合を示す選択率が高くなると予測される時間帯ほど、前記第２コンテンツを前記第１コンテンツに多く配信する配信計画を生成する生成手段と
を備えることを特徴とする生成装置。
【請求項５】
第１コンテンツに実績に応じて課金額が決定される第２コンテンツが表示される表示回数の傾向を取得する取得手段と、
前記取得手段によって取得された表示回数の傾向に基づいて、表示回数に応じて課金額が決定される第３コンテンツを前記第１コンテンツに配信する配信計画を生成する生成手段と
を備え、
前記取得手段は、
前記第１コンテンツに前記第２コンテンツまたは前記第３コンテンツが表示される広告枠と前記第２コンテンツが表示される専用枠とが含まれる場合に、前記広告枠および前記専用枠に表示される前記第２コンテンツの表示回数の合計値の傾向を取得し、
前記生成手段は、
前記取得手段によって取得された前記広告枠および前記専用枠に表示される前記第２コンテンツの表示回数の合計値の傾向に基づいて、所定の期間の中で前記表示回数の合計値が高くなると予測される時間帯ほど、前記第３コンテンツを前記広告枠に多く配信する配信計画を生成することを特徴とする生成装置。
【請求項６】
第１コンテンツに実績に応じて課金額が決定される第２コンテンツが表示される表示回数の傾向を取得する取得手段と、
前記取得手段によって取得された表示回数の傾向に基づいて、表示回数に応じて課金額が決定される第３コンテンツを前記第１コンテンツに配信する配信計画を生成する生成手段と
を備え、
前記取得手段は、
前記第１コンテンツの取得要求を送信した端末装置を操作するユーザのユーザ情報、前記第１コンテンツの種類または前記第２コンテンツの配信時期を取得し、
前記生成手段は、
前記取得手段によって取得された前記ユーザ情報、前記第１コンテンツの種類または前記第２コンテンツの配信時期に基づいて、所定の期間の中で前記第２コンテンツの表示回数が多くなると予測される時間帯ほど、前記第３コンテンツを前記第１コンテンツに多く配信する配信計画を生成することを特徴とする生成装置。
【請求項７】
第１コンテンツに実績に応じて課金額が決定される第２コンテンツが表示される表示回数の傾向を取得する取得手段と、
前記取得手段によって取得された表示回数の傾向に基づいて、表示回数に応じて課金額が決定される第３コンテンツを前記第１コンテンツに配信する配信計画を生成する生成手段と
を備え、
前記取得手段は、
前記第１コンテンツの取得要求を送信した端末装置を操作するユーザのユーザ情報、前記第１コンテンツの種類または前記第２コンテンツの配信時期を取得し、
前記生成手段は、
前記ユーザ情報、前記第１コンテンツの種類または前記第２コンテンツの配信時期に基づいて、所定の期間の中で前記第２コンテンツの価値を示す指標値が低くなると予測される時間帯ほど、前記第３コンテンツを前記第１コンテンツに多く配信する配信計画を生成することを特徴とする生成装置。
【請求項８】
生成装置が実行する生成方法であって、
第１コンテンツに実績に応じて課金額が決定される第２コンテンツが表示される表示回数の傾向を取得する取得工程と、
前記取得工程によって取得された表示回数の傾向に基づいて、表示回数に応じて課金額が決定される第３コンテンツを前記第１コンテンツに配信する配信計画を生成する生成工程と
を含み、
前記生成工程は、
所定の期間の中で前記第２コンテンツの表示回数が多いと予測される時間帯ほど、前記第３コンテンツを前記第１コンテンツに多く配信する配信計画を生成する
ことを特徴とする生成方法。
【請求項９】
第１コンテンツに実績に応じて課金額が決定される第２コンテンツが表示される表示回数の傾向を取得する取得手順と、
前記取得手順によって取得された表示回数の傾向に基づいて、表示回数に応じて課金額が決定される第３コンテンツを前記第１コンテンツに配信する配信計画を生成する生成手順と
を備え、
前記生成手順は、
所定の期間の中で前記第２コンテンツの表示回数が多いと予測される時間帯ほど、前記第３コンテンツを前記第１コンテンツに多く配信する配信計画を生成すること
をコンピュータに実行させることを特徴とする生成プログラム。
【請求項１０】
生成装置が実行する生成方法であって、
第１コンテンツに実績に応じて課金額が決定される第２コンテンツが表示される表示回数の傾向を取得する取得工程と、
前記取得工程によって取得された表示回数の傾向に基づいて、所定の期間の中で配信可能な前記第２コンテンツの価値を示す指標値が高くなると予測される時間帯ほど、前記第２コンテンツを前記第１コンテンツに多く配信する配信計画を生成する生成工程と
を含むことを特徴とする生成方法。
【請求項１１】
第１コンテンツに実績に応じて課金額が決定される第２コンテンツが表示される表示回数の傾向を取得する取得手順と、
前記取得手順によって取得された表示回数の傾向に基づいて、所定の期間の中で配信可能な前記第２コンテンツの価値を示す指標値が高くなると予測される時間帯ほど、前記第２コンテンツを前記第１コンテンツに多く配信する配信計画を生成する生成手順と
をコンピュータに実行させることを特徴とする生成装置。
【請求項１２】
第１コンテンツに実績に応じて課金額が決定される第２コンテンツが表示される表示回数の傾向を取得する取得手順と、
前記取得手順によって取得された表示回数の傾向に基づいて、表示回数に応じて課金額が決定される第３コンテンツを前記第１コンテンツに配信する配信計画を生成する生成手順と
を備え、
前記取得手順は、
前記第１コンテンツに前記第２コンテンツまたは前記第３コンテンツが表示される広告枠と前記第２コンテンツが表示される専用枠とが含まれる場合に、前記広告枠および前記専用枠に表示される前記第２コンテンツの表示回数の合計値の傾向を取得し、
前記生成手順は、
前記取得手順によって取得された前記広告枠および前記専用枠に表示される前記第２コンテンツの表示回数の合計値の傾向に基づいて、所定の期間の中で前記表示回数の合計値が高くなると予測される時間帯ほど、前記第３コンテンツを前記広告枠に多く配信する配信計画を生成することをコンピュータに実行させることを特徴とする生成プログラム
【請求項１３】
第１コンテンツに実績に応じて課金額が決定される第２コンテンツが表示される表示回数の傾向を取得する取得手順と、
前記取得手順によって取得された表示回数の傾向に基づいて、表示回数に応じて課金額が決定される第３コンテンツを前記第１コンテンツに配信する配信計画を生成する生成手順と
を備え、
前記取得手順は、
前記第１コンテンツの取得要求を送信した端末装置を操作するユーザのユーザ情報、前記第１コンテンツの種類または前記第２コンテンツの配信時期を取得し、
前記生成手順は、
前記取得手順によって取得された前記ユーザ情報、前記第１コンテンツの種類または前記第２コンテンツの配信時期に基づいて、所定の期間の中で前記第２コンテンツの表示回数が多くなると予測される時間帯ほど、前記第３コンテンツを前記第１コンテンツに多く配信する配信計画を生成することをコンピュータに実行させることを特徴とする生成プログラム。
【請求項１４】
第１コンテンツに実績に応じて課金額が決定される第２コンテンツが表示される表示回数の傾向を取得する取得手順と、
前記取得手順によって取得された表示回数の傾向に基づいて、表示回数に応じて課金額が決定される第３コンテンツを前記第１コンテンツに配信する配信計画を生成する生成手順と
を備え
前記取得手順は、
前記第１コンテンツの取得要求を送信した端末装置を操作するユーザのユーザ情報、前記第１コンテンツの種類または前記第２コンテンツの配信時期を取得し、
前記生成手順は、
前記ユーザ情報、前記第１コンテンツの種類または前記第２コンテンツの配信時期に基づいて、所定の期間の中で前記第２コンテンツの価値を示す指標値が低くなると予測される時間帯ほど、前記第３コンテンツを前記第１コンテンツに多く配信する配信計画を生成することをコンピュータに実行させることを特徴とする生成プログラム。